(57)【要約】【課題】放送中における音声操作卓の障害をいち早く検知し、システムの復旧を短時間で行うことにより、異常な音声の送出や無音状態の継続を防止する音声操作卓、音声操作卓の操作領域切替え方法並びにプログラムを提供する。【解決手段】オペレーションパネル１のＳｐａｎＡにおいて障害が発生すると、これを障害監視部６２が検知し、さらに障害情報表示部６１が障害通知パネル２にＳｐａｎＡに障害が発生したことを表示する。オペレータは、この障害状態を確認すると、切替操作パネル５において、ＳｐａｎＢのパネルをＳｐａｎＡとして代替使用するように設定する。同時に、ルート指示部６５がオペレーションパネル１におけるＳｐａｎＡのルータ３への送信ポートを停止するよう制御する。これに基づいて、ルータ３はオペレーションパネル１のＳｐａｎＡからの受信を禁止する。【選択図】図１
2007060294.tif 000002
【特許請求の範囲】
【請求項１】
複数の操作部を有する操作領域がチャンネルごとに複数設けられオペレータから入力される音声信号の設定値を出力するオペレーション部を備えた音声操作卓において、
前記操作領域ごとに障害を検知しオペレータに通知する手段と、
前記通知に基づいて、前記障害が検知された操作領域から他の操作領域への切替えをオペレータから受け付ける手段と、
オペレータからの変更要求に基づいて前記操作領域を切替える手段と、
前記障害が発生した操作領域からの入力を禁止する手段と、を備えたことを特徴とする音声操作卓。
【請求項２】
各操作領域において入力される設定値を操作領域ごとに操作領域データとして記憶するデータ記憶手段と、
前記操作領域において入力される設定値を、前記データ記憶手段のいずれの操作領域データとして記憶させるかをオペレータからの変更要求に基づいてルーティングする中継手段とを備えたことを特徴とする請求項１記載の音声操作卓。
【請求項３】
前記他の操作領域は、代替専用操作領域として予め用意されていることを特徴とする請求項１又は２記載の音声操作卓。
【請求項４】
複数の操作部を有する操作領域がチャンネルごとに複数設けられオペレータから入力される音声信号の設定値を出力するオペレーション部を備えた音声操作卓における前記操作領域の切替え処理を、制御部を用いて行う音声操作卓の操作領域切替え方法において、
前記制御部は、
前記操作領域ごとに障害を検知しオペレータに通知する処理と、
前記通知に基づいて、前記障害が検知された操作領域から他の操作領域への切替えをオペレータから受け付ける処理と、
オペレータからの変更要求に基づいて前記操作領域を切替える処理と、
前記障害が発生した操作領域からの入力を禁止する処理と、を実行することを特徴とする音声操作卓の操作領域切替え方法。
【請求項５】
各操作領域において入力される設定値を操作領域ごとに操作領域データとして記憶する処理と、
前記操作領域において入力される設定値を、前記データ記憶手段のいずれの操作領域データとして記憶させるかをオペレータからの変更要求に基づいてルーティングする中継処理とを実行することを特徴とする請求項４記載の音声操作卓の操作領域切替え方法。
【請求項６】
前記操作領域を切替える処理は、前記他の操作領域として予め用意された代替専用操作領域に切替えるものであることを特徴とする請求項４又は５記載の音声操作卓の操作領域切替え方法。
【請求項７】
複数の操作部を有する操作領域がチャンネルごとに複数設けられオペレータから入力される音声信号の設定値を出力するオペレーション部を備えた音声操作卓における前記操作領域の切替え処理を、コンピュータに実行させる音声操作卓の操作領域切替えプログラムにおいて、
前記プログラムは前記コンピュータに、
前記操作領域ごとに障害を検知させオペレータに通知させ、
前記通知に基づいて、前記障害が検知された操作領域から他の操作領域への切替えをオペレータから受け付けさせ、
オペレータからの変更要求に基づいて前記操作領域を切替えさせ、
前記障害が発生した操作領域からの入力を禁止させることを特徴とする音声操作卓の操作領域切替えプログラム。
【請求項８】
各操作領域において入力される設定値を操作領域ごとに操作領域データとして記憶させ、
前記操作領域において入力される設定値を、前記データ記憶手段のいずれの操作領域データとして記憶させるかをオペレータからの変更要求に基づいてルーティングさせることを特徴とする請求項７記載の音声操作卓の操作領域切替えプログラム。
【請求項９】
前記操作領域を切替えさせる処理は、前記他の操作領域として予め用意された代替専用操作領域に切替えさせるものであることを特徴とする請求項７又は８記載の音声操作卓の操作領域切替えプログラム。
【発明の詳細な説明】
【技術分野】
【０００１】
本発明は、音声調整装置に入力された音声信号のレベル、音色の調整などを操作する操作部の機能を適宜切替える音声操作卓、音声操作卓の操作領域切替え方法並びにプログラムに関する。
【背景技術】
【０００２】
放送用の番組制作を行う場合には、一般に、ミキサー（ミキシングコンソール）と呼ばれる音声操作卓が用いられる。このミキサーは、スピーカ、マイクロフォン等の多数の音声入出力装置に接続されており、スライド式や回転式のボリューム等のエンコーダ、各種スイッチ等を備えた操作部を操作することにより、各入力装置に対応する入力チャンネルに対して、入力回線の選択、入力レベル設定及び補正、音色の調整、最終出力先の選択及び調整など、数十の調整機能に対応する調整パラメータの設定操作を行うものである。
【０００３】
従来、このような音声操作卓としては、複数の音声信号を選択して合成を行う場合に、誤った音声信号を合成手段で合成してしまうことを回避することを目的としたものがある（特許文献１）。また、音声操作卓における音声信号のレベル調整のタイミング合わせが難しく、レベル調整に手間がかかることに鑑み、音声信号の編集に際して、編集される音声信号のレベル調整のタイミング合わせの精度を向上させたものがある（特許文献２）。
【特許文献１】特開２００２−２９０３６０公報
【特許文献２】特開２００１−１３４２８０公報
【発明の開示】
【発明が解決しようとする課題】
【０００４】
ところで、上記のような音声操作卓において、放送中に装置が故障した場合には、異常な音声の送出や無音状態を継続させてしまうことがあり、重大な放送事故に繋がる恐れがある。
【０００５】
すなわち、オペレータからの操作を受け付けるオペレーションパネルにおいて障害が発生した場合には、このオペレーションパネルからの誤った制御を受けて異常な音声の送出や無音状態を継続させてしまう恐れがあった。
【０００６】
また、収録中に装置が故障した場合は、代替機器の再設置を行う必要があるが、この再設置には長時間を要するため、その間、出演者やスタッフを待たせておくこととなり、場合によっては多大な損害が発生してしまう恐れがあった。
【０００７】
そのため、放送用音声操作卓を扱うオペレータは、装置の事故に備えシステムとしてのバックアップ体制を整えて対応しているが、システム全体を切替えた後は、すべてのシステムに対する切替え状態の確認作業が必要となり、やはり多大な時間を要してしまっていた。
【０００８】
また、従来の音声操作卓においてオペレーションパネル単体が故障した場合、別途設置されている音声処理装置、すなわちオペレーションパネルの入力に基づいて音声信号を合成する装置においては、オペレーションパネルの故障直前の最終設定値のまま音声出力を継続することとなり、その後は入力音声のレベル変動や音質変化に対応したパラメータ変更などの調整操作が不能になってしまっていた。
【０００９】
さらに、従来の音声操作卓は、オペレーションパネルにおいて入力される設定値をメモリに記憶しておくこととしているため、障害の発生したオペレーションパネルの入力をオフとした場合でも、最終設定値がメモリに記憶されたままであった。つまり、従来はオペレーションパネルとメモリとは一対一で対応しており、オペレーションパネルに障害が発生すると、それと対応したメモリに記憶された設定値を他のオペレーションパネルにおいて利用する等のメモリデータの置換を行うことはできなかった。
【００１０】
本発明は、上記のような課題を解決するもので、その目的は、放送中における音声操作卓の障害をいち早く検知し、システムの復旧を短時間で行うことにより、異常な音声の送出や無音状態の継続を防止する音声操作卓、音声操作卓の操作領域切替え方法並びにプログラムを提供することにある。
【課題を解決するための手段】
【００１１】
上記目的を達成するため、請求項１の発明は、複数の操作部を有する操作領域がチャンネルごとに複数設けられオペレータから入力される音声信号の設定値を出力するオペレーション部を備えた音声操作卓において、前記操作領域ごとに障害を検知しオペレータに通知する手段と、前記通知に基づいて、前記障害が検知された操作領域から他の操作領域への切替えをオペレータから受け付ける手段と、オペレータからの変更要求に基づいて前記操作領域を切替える手段と、前記障害が発生した操作領域からの入力を禁止する手段と、を備えたことを特徴とする。
【００１２】
請求項４の発明は、請求項１の発明を方法の観点から捉えたものであって、複数の操作部を有する操作領域がチャンネルごとに複数設けられオペレータから入力される音声信号の設定値を出力するオペレーション部を備えた音声操作卓における前記操作領域の切替え処理を、制御部を用いて行う音声操作卓の操作領域切替え方法において、前記制御部は、前記操作領域ごとに障害を検知しオペレータに通知する処理と、前記通知に基づいて、前記障害が検知された操作領域から他の操作領域への切替えをオペレータから受け付ける処理と、オペレータからの変更要求に基づいて前記操作領域を切替える処理と、前記障害が発生した操作領域からの入力を禁止する処理と、を実行することを特徴とする。
【００１３】
請求項７の発明は、請求項１、４の発明をコンピュータプログラムの観点から捉えたものであって、複数の操作部を有する操作領域がチャンネルごとに複数設けられオペレータから入力される音声信号の設定値を出力するオペレーション部を備えた音声操作卓における前記操作領域の切替え処理を、コンピュータに実行させる音声操作卓の操作領域切替えプログラムにおいて、前記プログラムは前記コンピュータに、前記操作領域ごとに障害を検知させオペレータに通知させ、前記通知に基づいて、前記障害が検知された操作領域から他の操作領域への切替えをオペレータから受け付けさせ、オペレータからの変更要求に基づいて前記操作領域を切替えさせ、前記障害が発生した操作領域からの入力を禁止させることを特徴とする。
【００１４】
以上のような請求項１、４及び７の発明では、オペレーションパネルにおいて操作領域ごとに障害を検知して、これをオペレータに通知し、オペレータに操作領域の切替えを促す。オペレータの指示に基づいて同等の操作部を有する他の操作領域へ切替え、さらに障害が発生した操作領域からの制御情報の受付を禁止する。これにより、音声信号処理装置まで至らないオペレーションパネルでの障害という軽い程度の段階で、オペレーションパネルにおける操作領域の切り替えという短時間で簡単な処理で行うことができる。また、障害が発生したオペレーションパネルの操作領域から入力を禁止することにより、障害の発生した操作領域からの誤った制御情報による異常音声出力の継続を防止することができる。
【００１５】
請求項２の発明は、請求項１の発明において、各操作領域において入力される設定値を操作領域ごとに操作領域データとして記憶するデータ記憶手段と、前記操作領域において入力される設定値を、前記データ記憶手段のいずれの操作領域データとして記憶させるかをオペレータからの変更要求に基づいてルーティングする中継手段とを備えたことを特徴とする。
【００１６】
請求項５の発明は、請求項２の発明を方法の観点から捉えたものであって、請求項４の発明において、各操作領域において入力される設定値を操作領域ごとに操作領域データとして記憶する処理と、前記操作領域において入力される設定値を、前記データ記憶手段のいずれの操作領域データとして記憶させるかをオペレータからの変更要求に基づいてルーティングする中継処理とを実行することを特徴とする。
【００１７】
請求項８の発明は、請求項２、５の発明をコンピュータプログラムの観点から捉えたものであって、請求項７の発明において、各操作領域において入力される設定値を操作領域ごとに操作領域データとして記憶させ、前記操作領域において入力される設定値を、前記データ記憶手段のいずれの操作領域データとして記憶させるかをオペレータからの変更要求に基づいてルーティングさせることを特徴とする。
【００１８】
以上のような請求項２、５及び８の発明によれば、中継手段により、オペレーションパネルの操作領域からの入力による設定値をいずれかの操作領域データに記憶するかをオペレータの指示に基づいて置換可能にルーティングできるため、障害の発生した操作領域の入力を禁止しつつ、代替前の操作領域からの入力データを代替後の操作領域の設定として反映することができる。これにより、切替え後、代替した操作領域による入力処理をすぐに開始することができる。したがって、従来の音声操作卓においてオペレーションパネルの入力をオフとした場合でも、メモリに記憶されたままで他のオペレーションパネルでの利用ができなかった設定値を切替え後の他の操作領域で利用することができ、切替え前の入力設定値が反映されないというような問題がない。
【００１９】
請求項３の発明は、請求項１又は２の発明において、前記他の操作領域は、代替専用操作領域として予め用意されていることを特徴とする。
請求項６の発明は、請求項３の発明を方法の観点から捉えたものであって、請求項４又は５の発明において、前記操作領域を切替える処理は、前記他の操作領域として予め用意された代替専用操作領域に切替えるものであることを特徴とする。
請求項９の発明は、請求項３、６の発明をコンピュータプログラムの観点から捉えたものであって、請求項７又は８記載の発明において、前記操作領域を切替えさせる処理は、前記他の操作領域として予め用意された代替専用操作領域に切替えさせるものであることを特徴とする。
【００２０】
以上のような請求項３、６及び９の発明によれば、代替専用の操作領域を予め準備し、ある操作領域に障害が発生した場合にその代替専用の操作領域に切替えることにより、使用中の操作領域に影響を与えることなく、簡易適切な操作領域の切替えを行うことができるようになる。
【発明の効果】
【００２１】
以上のように、本発明によれば、放送中における音声操作卓の障害を、オペレーションパネルでの障害の段階で検知し、システムの復旧を短時間で行うことにより、異常な音声の送出や無音状態の継続を防止する音声操作卓、音声操作卓の操作領域切替え方法並びにプログラムを提供することができる。
【発明を実施するための最良の形態】
【００２２】
次に、本発明の音声操作卓を実施するための最良の実施形態（以下「本実施形態」と呼ぶ）について図を参照して説明する。なお、背景技術や課題で既に説明した内容と共通の前提事項は繰り返さない。
【００２３】
（１）構成
本実施形態の音声操作卓は、図１に示すように、周波数ごとの音圧レベル等、操作したいパラメータを調整するエンコーダ、スライドボリュウム又はスイッチを複数備えたＳｐａｎＡ〜Ｄ（操作領域）から構成され、オペレータからの操作を受け付けるオペレーションパネル１と、この各ＳｐａｎＡ〜Ｄに障害が発生したことを検知する障害通知パネル２とを備える。各Ｓｐａｎは、例えば、ＳｐａｎＡがアナウンサーのマイク音声、ＳｐａｎＢがＶＴＲの音声、ＳｐａｎＣがＢＧＭ等、各チャンネルに割り当てられている。また、図１において、障害通知パネル２は、ＳｐａｎＡに障害が発生していることを示している。
【００２４】
本実施形態の音声操作卓は、また、ルータ３（中継手段）、データ記憶部４（データ記憶手段）、切替操作パネル５、制御装置６、音声信号処理装置７を備える。ルータ３はオペレーションパネル１の各ＳｐａｎＡ〜Ｄにおけるオペレータから操作入力されるパラメータの設定値を、データ記憶部４の各ＳｐａｎＡデータ〜Ｄデータのいずれに格納するかをルーティングする手段である。データ記憶部４は、ルータ３を介して入力されるＳｐａｎＡ〜Ｄの設定値をＳｐａｎごとに記憶する手段であり、また、その設定値を制御データとして、音声操作卓とは別途設けられる音声信号処理装置７に送信する手段である。なお、この音声信号処理装置７は、データ記憶部４に格納されるＳｐａｎデータに基づいて、音声信号の合成等を行う手段である。
【００２５】
切替操作パネル５は、オペレーションパネル１の各ＳｐａｎＡ〜Ｄからデータ記憶部４の各ＳｐａｎＡデータ〜Ｄデータへ格納される際に、ルータ３がルーティングするルートの設定をオペレータから受け付け、表示する手段である。この点、図１を参照して具体的に説明すると、切替操作パネル５において、各枠５ａ〜５ｄ内の左側「ＳｐａｎＡ」〜「ＳｐａｎＤ」はオペレーションパネル１の操作領域元を示し、各枠内右側の「ＳｐａｎＡ」〜「ＳｐａｎＤ」がオペレーションパネル１におけるＳｐａｎ操作によるデータがデータ記憶部４のいずれのＳｐａｎに格納されるかを、オペレータがスイッチを押下することにより、設定するものである。
【００２６】
すなわち、図中枠５ａは、オペレーションパネル１におけるＳｐａｎＡからの入力操作がいずれのデータ記憶部４へも繋がらず操作が無効となっていることを示し、枠５ｂは、オペレーションパネル１におけるＳｐａｎＢからの操作がデータ記憶部４のＳｐａｎＡデータとして格納されることを示している。また、５ｃ及び５ｄについてはオペレーションパネル１におけるＳｐａｎＣ、Ｄの操作データがデータ記憶部４のＳｐａｎＣデータ、ＳｐａｎＤデータへそれぞれ格納されることを示している。
【００２７】
制御装置６は、オペレーションパネル１、障害通知パネル２、ルータ３及び切替操作パネル５におけるデータの送受信を制御するものである。具体的には、障害通知パネル２への障害の通知を制御する障害情報表示部６１と、障害の発生を検知する障害監視部６２とを備える。また、障害が発生した場合に切替操作パネル５におけるオペレータからのＳｐａｎの切替えを受け付ける切替受付部６３と、Ｓｐａｎが切替えられた場合に使用不可となったＳｐａｎの入力を禁止するパネル入力制御部６４と、切替受付部６３で受け付けたＳｐａｎの切替え設定をルータ３に送信するとともにデータ記憶部４の記憶領域をルーティングするルート指示部６５とを備える。
【００２８】
ここで、各装置間の通信フォーマットとして、例えば図２（ａ）〜（ｅ）に示すような形式が想定される。まず、オペレーションパネル１からルータ３への送信データは、２種類からなり、このうち図２（ａ）に示すオペレーションパネルの切替え処理時にルータ３へ送信される「ＲＤ  ＲＥＱＵＥＳＴ」は、オペレーションパネル１の操作パネルを示す送信元ＩＤと、データ記憶部４から読み込むデータ領域の指定を示す読込み先ＩＤと、アドレスとから構成される。そして、オペレーションパネル１の操作情報を含むビットデータを備え、送信元ＩＤ、書込み先ＩＤ、アドレスから構成される「ＷＲ  ＲＥＱＵＥＳＴ」が送信データとしてルータ３へ送信される。
【００２９】
また、ルータ３からオペレーションパネル１へのレスポンスデータは、同図（ｃ）に示すように、送信元ＩＤ、読込み元ＩＤ、アドレス、データの各ビット列から構成される。  
【００３０】
制御装置６からオペレーションパネル１への送信データは、同図（ｄ）に示すように、切替受付部６３においてオペレータから受け付けたＳｐａｎを設定先ＩＤとし、データ記憶部４への書込み領域Ｓｐｎを書込み先ＩＤとを表すビット列からなる。また、制御装置６からルータ３への送信データは、同図（ｅ）に示すように、パネル入力制御部６４の処理により、いずれのＳｐａｎが入力不可となるかを示したビット列から構成される。
【００３１】
（２）作用効果
以上のような構成からなる本実施形態の作用について説明する。なお、以下の説明では、オペレーションパネル１の障害としてＳｐａｎＡにおいて障害が発生し、ＳｐａｎＡの入力をＳｐａｎＢに切替える場合を想定して説明するが、通常はＳｐａｎＡ〜ＳｐａｎＤのいずれかのＳｐａｎに障害が発生した場合には、その他のいずれのＳｐａｎに対しても入力の切替えが可能である。
【００３２】
オペレーションパネル１のＳｐａｎＡにおいて障害が発生すると、これを障害監視部６２が検知し、さらに障害情報表示部６１が障害通知パネル２にＳｐａｎＡに障害が発生したことを表示する（図１「障害通知パネル２」参照。）。
【００３３】
オペレータは、この障害状態を確認すると、切替操作パネル５において、ＳｐａｎＢのパネルをＳｐａｎＡとして代替使用するように設定する。具体的には、枠５ｂの右欄におけるＳｐａｎＡを指定して設定する。また、同時に、パネル入力制御部６４は、枠５ａに示すようにＳｐａｎＡからの入力をオフと制御し、ルート指示部６５がオペレーションパネル１におけるＳｐａｎＡのルータ３への送信ポートを停止するよう制御する。これに基づいて、ルータ３はオペレーションパネル１のＳｐａｎＡからの受信を禁止する。オペレーションパネル１のＳｐａｎＢは、ＳｐａｎＡのデータをルータ３から読込む。これにより、オペレータはＳｐａｎＢを操作することにより、ＳｐａｎＡのパラメータ変更が可能になる。
【００３４】
（２−１）各部の作用
次に各部の作用について、それぞれフローチャートを用いて説明する。
［制御装置の作用］
制御装置６の切替え処理について図３を参照して説明する。制御装置６は、障害監視部６２において、オペレーションパネル１の障害が検知されると（Ｓ３０１の「ＹＥＳ」）、障害情報表示部６１により障害通知パネル２に対してＳｐａｎＡに障害が発生した旨を通知する（Ｓ３０２）。
【００３５】
次に、切替受付部６３が、オペレータによる切替え操作を受け付ける（Ｓ３０３）。ここでオペレータがＳｐａｎＡの入力からＳｐａｎＢへの切替え操作を行ったとして、パネル入力制御部６４は、この切替え操作に基づいて、制御装置６からオペレーションパネル１へ送信する送信データを、設定先ＩＤをＳｐａｎＡとし、書込み先ＩＤをオフとして構成し（図２（ｄ−１）参照）、この送信データをオペレーションパネル１へ送信する（Ｓ３０４）。これにより、ＳｐａｎＡの入力は禁止される。
【００３６】
次に、ルート指示部６５は、制御装置６からルータ３へ送信する送信データにおいて、ＳｐａｎＡにおけるビットをオフとして、この送信データをルータ３へ送信する（Ｓ３０５）。また、パネル入力制御部６４は、制御装置６からオペレーションパネルへ送信する送信データの設定先ＩＤをＳｐａｎＢとし、書込み先ＩＤをＳｐａｎＡとして（図２（ｄ−１）参照）、このデータをオペレーションパネル１へ送信する（Ｓ３０６）。この送信データに基づき、オペレーションパネル１のＳｐａｎＢにおける入力操作がＳｐａｎＡの入力へと切替えられる。
【００３７】
［オペレーションパネルの切替え処理］
オペレーションパネル１における切替え処理について、図４を参照して説明する。図４（ａ）に示すように、オペレーションパネル１は、制御装置６のパネル入力制御部６４より送られる送信データ（図２（ｄ−２）参照）から、ＳｐａｎＢにおけるデータ記憶部４に対する書込み先ＩＤがＳｐａｎＡであることを受信する（Ｓ４０１）。
【００３８】
次にオペレーションパネル１からルータ３への送信データ（「ＲＤ  ＲＥＱＵＥＳＴ」）において、ルータ３がオペレーションパネル１を読み込む読込先ＩＤがＳｐａｎＡであるとする送信データ（図２（ａ）参照）をルータ３へ送信し（Ｓ４０２）、ルータ３からレスポンスデータ（「ＲＤ  ＲＥＳＰＯＮＳＥ」、図２（ｃ）参照）を受信する（Ｓ４０３のＹＥＳ）。そして、受信データを基に設定値を切替操作パネル５へ表示する（Ｓ４０４）。
【００３９】
これにより、切替え処理が完了し、以降オペレータによるパネル操作が行われた場合、オペレーションパネル１からルータ３に対して、送信元ＩＤがＳｐａｎＢで、書込み先ＩＤがＳｐａｎＡとした設定データを送信する。
【００４０】
一方、オペレーションパネル１のＳｐａｎＡの入力を停止する処理は、図４（ｂ）に示すように、制御装置６からオペレーションパネル１への設定先ＩＤをＳｐａｎＡとし、書込み先ＩＤをオフとして構成された送信データ（図２（ｄ−１）参照）をオペレーションパネル１で受信し（Ｓ４１１の「ＹＥＳ」）、この指示に基づいて、ルータ３との通信ポートをオフへ切替えることによりなされる（Ｓ４１２）。
【００４１】
［ルータの切替え処理］
ルータ３における切替え処理は、図５に示すように、制御装置６からＳｐａｎＡのビットがオフであるデータ（図２（ｅ）参照）を受信する（Ｓ５０１の「ＹＥＳ」）。そうして、以降、オペレーションパネル１からの通信によって送信元がＳｐａｎＡの受信を禁止することにより行う（Ｓ５０２）。
【００４２】
（２−２）効果
以上のように作用する本実施形態では、オペレーションパネルの各Ｓｐａｎの障害を検知してこれを障害通知パネル２に表示し、オペレータの入力パネルの切替えを促す。そして、同等の操作部を有する別のＳｐａｎへの切替え機能を備え、さらに障害が発生したオペレーションパネルのＳｐａｎからの制御情報の受付を禁止する機能を備えた。これにより、音声信号処理装置まで至らないオペレーションパネルでの障害という軽い程度の段階で、オペレーションパネルにおけるＳｐａｎの切り替えという短時間で簡単な処理で行うことができる。また、障害が発生したオペレーションパネルのＳｐａｎから入力を禁止することにより、障害の発生したＳｐａｎからの誤った制御情報による異常音声出力の継続を防止することができる。
【００４３】
このように、オペレーションパネルの切替えという簡易な処理によって事故の未然防止が可能となるので、装置の事故に備えシステムとしてのバックアップ体制を整えておく必要もなく、また、システム全体の切替えにおける確認作業などの手間も省くことができる。
【００４４】
また、本実施形態では、ルータ３により、オペレーションパネルのＳｐａｎからの入力による設定値をいずれかのＳｐａｎデータに記憶するかをオペレータの指示に基づいて置換可能にルーティングできるため、障害の発生したＳｐａｎの入力を禁止しつつ、代替前のＳｐａｎからの入力データを代替後のＳｐａｎの設定として反映することができる。これにより、切替え後、代替したＳｐａｎによる入力処理をすぐに開始することができる。したがって、従来の音声操作卓においてオペレーションパネルの入力をオフとした場合でも、データ記憶部４のＳｐａｎデータに記憶されたままで他のオペレーションパネルでの利用ができなかった設定値を切替え後の他のＳｐａｎで利用することができ、切替え前の入力設定値が反映されないというような問題がない。
【００４５】
（３）他の実施形態
なお、本発明は上記実施形態に限定されるものではなく、次に例示するような他の実施形態も含むものである。上記実施形態では、障害が生じたＳｐａｎＡをＳｐａｎＢに代替させる構成としているが、本発明では、予め代替え専用のパネルを配置しておくことも可能である。例えば、上記実施形態で言えば、ＳｐａｎＡ〜Ｃを通常運用パネルとし、ＳｐａｎＤを代替え専用パネルとして、ＳｐａｎＡに障害が発生した場合には、ＳｐａｎＡからＳｐａｎＤに切替える処理を行って、ＳｐａｎＤにおいてＳｐａｎＡデータの設定を行うようにすることが可能である。
【図面の簡単な説明】
【００４６】
【図１】本発明の実施形態の全体構成を示すブロック図。
【図２】本発明の実施形態における通信フォーマットを示す図。
【図３】本発明の実施形態における制御装置の切替え処理を示すフローチャート。
【図４】本発明の実施形態におけるオペレーションパネルの切替え処理を示すフローチャート。
【図５】本発明の実施形態におけるルータの切替え処理を示すフローチャート。
【符号の説明】
【００４７】
１…オペレーションパネル
２…障害通知パネル
３…ルータ
４…データ記憶部
５…切替操作パネル
５ａ〜５ｄ…枠
６…制御装置
６１…障害情報表示部
６２…障害監視部
６３…切替受付部
６４…パネル入力制御部
６５…ルート指示部
７…音声信号処理装置
【図１】
2007060294.tif 000003
【図２】
2007060294.tif 000004
【図３】
2007060294.tif 000005
【図４】
2007060294.tif 000006
【図５】
2007060294.tif 000007